(57)【特許請求の範囲】
【請求項１】
洗い場領域の上面に複数の目地溝を交差させて区画した凹凸模様を有し、これら複数の目地溝が交差する各交差部において当該交差部から下り勾配を有する目地溝のうち最も大きな下り勾配を有するものを主排水用目地溝、これより下り勾配の小さいその他の目地溝を副排水用目地溝としたとき、副排水用目地溝が主排水用目地溝よりも優れた撥水性を有する浴室床パンであって、主排水用目地溝に親水性が付与されると共に副排水用目地溝に撥水性が付与されたことを特徴とする浴室床パン。
【発明の詳細な説明】
【技術分野】
【０００１】
本発明は洗い場領域に目地溝を形成した浴室床パンに関する。
【背景技術】
【０００２】
従来より、デザイン性や滑り性等を考慮して、洗い場領域の上面に格子状等の多数の目地溝を交差させて区画した凹凸模様を有する浴室床パンが利用されている。
【０００３】
ところで、洗い場領域には排水側に向けて下り勾配となる水勾配を設けてあるが、この水勾配の勾配方向と前記目地溝の伸びる方向が交差する場合には、該目地溝の水勾配が緩やかになり、洗い場領域の水勾配方向と平行な目地溝と比較して目地溝の内面に汚れが付着しやすくなる。このため特に洗い場領域の水勾配と交差する目地溝にあっては掃除を比較的多く行う必要があるのだが、幅の狭い目地溝の内面を清掃することは難しいという問題がある。
【０００４】
また、例えば特許文献１には、洗い場領域の上面に多数形成した凸部の上面に微小凹凸を施して親水性を付与し、凸部間に形成された凹部の内面を凸部の上面よりも高い撥水性を有するものとした浴室床パンが開示されている。しかし、特許文献１の浴室床パンは、凹部の内面が撥水性を有するために凹部の内面における排水性が低く、このため浴室床パン全体の排水性が低いという問題がある。
【特許文献１】特開２００４−１６２５１４号公報
【発明の開示】
【発明が解決しようとする課題】
【０００５】
本発明は上記従来の問題点に鑑みてなされたものであって、浴室床パンの高い排水能力を維持しつつ、汚れやすい目地溝を容易に清掃できる浴室床パンを提供することを課題とするものである。
【課題を解決するための手段】
【０００６】
上記課題を解決するために本発明の請求項１に係る浴室床パンは次の構成を有している。洗い場領域３の上面に複数の目地溝５を交差させて区画した凹凸模様を有する。これら複数の目地溝５が交差する各交差部６において当該交差部６から下り勾配を有する目地溝５のうち最も大きな下り勾配を有するものを主排水用目地溝７とする。また、これより下り勾配の小さいその他の目地溝５を副排水用目地溝８とする。副排水用目地溝８が主排水用目地溝７よりも優れた撥水性を有する。主排水用目地溝７に親水性が付与されると共に副排水用目地溝８に撥水性が付与される。
【発明の効果】
【０００８】
本発明では、下り勾配の大きな主排水用目地溝が副排水用目地溝と比較して親水性を有するものであるので、浴室床パンの高い排水能力を維持できる。また、下り勾配が小さい副排水用目地溝が撥水性を有することで、副排水用目地溝を容易に清掃することが可能となる。
【発明を実施するための最良の形態】
【０００９】
以下、本発明を添付図面に示す実施形態に基づいて説明する。図１乃至図３に示す本実施形態の浴室床パン１はＦＲＰ等により一体に形成される。浴室床パン１は浴槽２の長手方向に長い平面視略長方形状の洗い場領域３を備えている。洗い場領域３は浴槽２に隣接する洗い場の床を構成する。なお、浴室床パン１は、洗い場領域３と一体に形成された浴槽２を設置するための浴槽設置領域を備えたものであっても良い。また、洗い場領域３と一体に形成された浴槽を備えたものであっても良い。また、洗い場領域３のみで構成したものであっても良い。
【００１０】
洗い場領域３の浴槽２側の端部で且つ浴槽２の長手方向における中間部には平面視矩形状の排水口４を形成している。洗い場領域３は浴槽２と反対側の端部から浴槽２側の端部にかけて徐々に下り傾斜し、排水側である浴槽２側に向けて下り勾配となる水勾配を設けている。つまり、図３の矢印で示した洗い場領域３の水勾配の勾配方向は平面視略長方形状の洗い場領域３の幅方向（つまり浴槽２の長手方向と直交する方向）と平行となり、これにより洗い場領域３の上面全体の水がスムーズに排水口４側に流下するようになっている。
【００１１】
上記水勾配を設けた洗い場領域３の上面にはデザイン性や滑り性を考慮して排水口４を除く全面に亘って互いに交差する多数の目地溝５を形成してある。図示例では目地溝５として、洗い場領域３の幅方向に伸びる直線状の縦目地溝５ａと、洗い場領域３の長手方向に伸びて前記縦目地溝５ａと直交する直線状の横目地溝５ｂの２種類の目地溝５を設けている。
【００１２】
縦目地溝５ａは洗い場領域３の長手方向に一定間隔を介して複数条設けてあり、また、横目地溝５ｂも洗い場領域３の幅方向に一定間隔を介して複数条設けている。つまり、洗い場領域３の上面には全体で平面視格子状となる目地溝５を形成している。この格子状の目地溝５を構成する多数の矩形枠状の目地溝部分に囲まれた部分は目地溝５よりも一段高い凸部９となっており、洗い場領域３の上面には前記格子状の目地溝５によって区画した凹凸模様が形成されている。これにより洗い場領域３の上面のデザイン性を高め、また、目地溝５により洗い場領域３上を歩く人の足が滑る等することを防止している。
【００１３】
洗い場領域３の長手方向の中間部に位置する縦目地溝５ａ及び洗い場領域３の浴槽２側の端部に位置する横目地溝５ｂは排水口４に連続している。これにより、全ての目地溝５は排水口４に連通し、洗い場領域３上の水を排水口４にスムーズに導く排水溝として機能する。
【００１４】
上記縦目地溝５ａを基準とすると各縦目地溝５ａの長手方向の複数箇所には、横目地溝５ｂと十字状又はＴ字状又はＬ字状に交差する交差部６が存在することとなる。また、上記二種類の目地溝５ａ、５ｂのうち、縦目地溝５ａは平面視で図３の矢印で示す洗い場領域３の水勾配方向と平行に伸びるため、排水口４に対して水勾配が急な溝となる。また、横目地溝５ｂは平面視で洗い場領域３の水勾配方向と直交する方向に伸びるため、排水口４に対して水勾配が前記縦目地溝５ａと比べて緩やかな溝となる。
【００１５】
ここで、洗い場領域３に設けた各交差部６を基準とし、各交差部６において当該交差部６から下り勾配を有する目地溝５のうち最も大きな下り勾配を有するものを主排水用目地溝７、これより下り勾配の小さいその他のものを副排水用目地溝８とする。つまり、本実施形態では縦目地溝５ａを主排水用目地溝７とし、横目地溝５ｂを副排水用目地溝８としている。
【００１６】
各交差部６に接続された副排水用目地溝８の両側面及び底面からなる内面には撥水性を付与する処理を行っている。本実施形態では、図２及び図３においてクロスハッチングを付した部分、即ち、各副排水用目地溝８の主排水用目地溝７との交差部６を含めてその両側面及び底面で構成された内面の全体に亘って撥水処理を施している。前記副排水用目地溝８の内面に撥水性を付与する処理としては、撥水樹脂による塗装処理や、撥水樹脂あるいは撥水成分がブリードアウトする材料を副排水用目地溝８に埋め込む等が挙げられる。
【００１７】
一方、各交差部６に接続された主排水用目地溝７の内面には親水性を付与している。前記親水性を付与する処理としては、表面に微小凹凸を形成したり、表面に親水性を有する塗料を塗布する等が挙げられる。
【００１８】
上記撥水性及び親水性の判断は水の接触角９０度を境とする。即ち、主排水用目地溝７における水の接触角は９０度以上、より好ましくは、主排水用目地溝７における水の接触角を１００度以上とする。また、副排水用目地溝８における水の接触角水の接触角を９０度未満、より好ましくは、副排水用目地溝８における水の接触角水の接触角を７０度以下とする。
【００１９】
上記により、各主排水用目地溝８は副排水用目地溝８との交差部６を除いた全部が副排水用目地溝８と比較して親水性の高いものとなっている。このため主排水用目地溝７は排水性が高く、主排水用目地溝７内の水はスムーズに排水口４側に流れることとなり、この結果、洗い場領域３上の水を確実に排水できる。
【００２０】
また、上記主排水用目地溝８と比較すると各副排水用目地溝８は水勾配が小さいため、汚れが付着しやすくなっている。しかし、既述のように本実施形態の各副排水用目地溝８の内面には撥水性を付与してあるので、仮に汚れが付着したとしても容易に拭き取ることができる。つまり、本実施形態の浴室床パン１は、各副排水用目地溝８に撥水性を付与すると共に各主排水用目地溝８に親水性を付与することで、主排水用目地溝７における高い排水性を維持しつつ、主排水用目地溝７と比較して汚れやすい主排水用目地溝７の内面を容易に清掃できるようにしている。
【００２１】
なお、上記実施形態では副排水用目地溝８の主排水用目地溝７との交差部６に撥水性を付与したが、交差部６には撥水性を付与しなくても良く、交差部６に親水性を付与しても良い。また、本実施形態では主排水用目地溝７に親水性を付与すると共に副排水用目地溝８に撥水性を付与したが、主排水用目地溝７に親水性を付与せず副排水用目地溝８にのみ撥水性を付与したり、主排水用目地溝７にのみ親水性を付与し、副排水用目地溝８に撥水性を付与したりしても良く、即ち、副排水用目地溝８が主排水用目地溝７よりも優れた撥水性を有するものであれば良い。
【００２２】
また、上記実施形態では洗い場領域３の水勾配の勾配方向を洗い場領域３の幅方向と平行としたが、洗い場領域３の各部において排水口４に向かう水勾配を設けても良い。即ち、この場合は、洗い場領域３の排水口４よりも浴槽２と反対側の部分の勾配方向は洗い場領域３の幅方向と平行な方向成分を含み、また、洗い場領域３の長手方向における洗い場領域３の排水口４の両外側に位置する部分の勾配方向は洗い場領域３の長手方向と平行な方向成分を含むものとなる。従って、洗い場領域３の各部における水勾配の勾配方向が異なる。
【００２３】
よって、このように洗い場領域３の各部における水勾配の勾配方向を異ならせたものにおいて、例えば上記実施形態と同様に複数の縦目地溝５ａと横目地溝５ｂからなる格子状の目地溝５を設けた場合には、洗い場領域３の位置によっては、横目地溝５ｂの排水口４に対する水勾配が当該横目地溝５ｂと交差部６で交差した縦目地溝５ａの排水口４に対する水勾配よりも急なものとなる。従って、この部分においては横目地溝５ｂを主排水用目地溝７とすると共に当該副排水用目地溝８と交差部６で交差する縦目地溝５ａを副排水用目地溝８とし、この副排水用目地溝８の内面に撥水性を付与すれば、上記実施形態と同様の効果が得られるものである。
【図面の簡単な説明】
【００２４】
【図１】本発明の実施形態の一例の浴室床パンの平面図である。
【図２】同上の洗い場床部において撥水処理部をクロスハッチングで示した説明図である。
【図３】同上の洗い場床部の撥水処理部をクロスハッチングで示した平面視説明図である。
【符号の説明】
【００２５】
１  浴室床パン
３  洗い場領域
５  目地溝
６  交差部
７  主排水用目地溝
８  副排水用目地溝
【図１】
0005149633.tif 000002
【図２】
0005149633.tif 000003
【図３】
0005149633.tif 000004